(57)【要約】【課題】画像データを生成し記憶手段に登録する画像処理装置において、記憶手段に記憶された画像データをユーザが容易に管理できるようにすることを目的とする。【解決手段】パソコン９０、または、操作パネル６を介してユーザから画像の読み取り要求が入力されると、スキャナ部４により画像を読み取って画像データを生成し、生成した画像データを形成する各画素の画素値に基づいて、読み取った画像の濃度分布を表すヒストグラムを生成する。そして、生成したヒストグラムに基づいて、画像データの黒画素比率や、画像の種類を示す画像種別等の種別情報を特定し、さらに、特定した種別情報を画像データに付加して所定の保存先に保存する。【選択図】図２
2007272622.tif 000002
【特許請求の範囲】
【請求項１】
画像データを生成して記憶手段に登録する画像処理装置であって、
撮像された画像に基づいて、画像データを生成する生成手段と、
該生成手段により生成された画像データから画像を解析する解析手段と、
該解析手段による解析結果に基づいて、画像の種類に関する種別情報を特定する特定手段と、
該特定手段にて特定された画像の種類に関する種別情報を前記画像データに付加し、該画像データを前記記憶手段に登録する付加手段と、
を備えたことを特徴とする画像処理装置。
【請求項２】
前記解析手段は前記画像の濃度分布を抽出し、
前記特定手段は、前記解析手段によって抽出された画像の濃度分布に基づいて画像の種類を種別情報として特定することを特徴とする請求項１に記載の画像処理装置。
【請求項３】
前記付加手段は、さらに、ユーザを識別可能なユーザ情報、画像データを登録する登録先を示すパス情報、及び、画質情報のうち、少なくとも何れか１つを前記画像データに付加することを特徴とする請求項１または請求項２に記載の画像処理装置。
【請求項４】
画像データを生成して記憶手段に登録する画像処理装置であって、
原稿に形成された画像データを取得する取得手段と、
該取得手段により取得された画像データに、ユーザを識別可能なユーザ情報、画像データを登録する登録先を示すパス情報、及び、画質情報のうち、少なくとも何れか１つを付加し、該画像データを前記記憶手段に登録する付加手段と、
を備えたことを特徴とする画像処理装置。
【請求項５】
前記ユーザ情報、前記パス情報、及び、前記画質情報のうち、少なくとも何れか１つを複数記憶可能な情報記憶手段と、
該情報記憶手段に記憶された情報の中から、前記付加手段によって付加される情報を設定する設定手段と、
を備えたことを特徴とする請求項３または請求項４に記載の画像処理装置。
【請求項６】
複数の階層から構成されるパス情報のうち、前記付加手段によって付加される階層を指定する指定手段を備えたことを特徴とする請求項３〜請求項５の何れかに記載の画像処理装置。
【請求項７】
前記付加手段は、複数の前記ユーザ情報を付加することを特徴とする請求項３〜請求項６の何れかに記載の画像処理装置。
【請求項８】
前記付加手段は、前記画像データを前記ユーザ情報と同じ数だけ複写すると共に、複写した複数の各画像データに前記複数のユーザ情報を付加することを特徴とする請求項７に記載の画像処理装置。
【請求項９】
前記付加手段は、前記画像データを前記ユーザ情報と同じ数だけ複写すると共に、複写した複数の各画像データに、異なるユーザ情報を１つずつ付加することを特徴とする請求項７に記載の画像処理装置。
【請求項１０】
前記付加手段は、前記画像データに付加された情報に基づいて該画像データの取り扱いを制限するための制限情報を付加することを特徴とする請求項１〜請求項９の何れかに記載の画像処理装置。
【請求項１１】
前記付加手段は、前記複数のユーザ情報が画像データに付加されている場合には、前記制限情報として画像データの切り取り操作を禁止するための情報を前記画像データに付加することを特徴とする請求項１０に記載の画像処理装置。
【請求項１２】
前記画像データは、Ｅｘｉｆ形式の画像ファイルとして前記記憶手段に登録されることを特徴とする請求項１〜請求項１１の何れかに記載の画像処理装置。
【発明の詳細な説明】
【技術分野】
【０００１】
本発明は、画像を撮像し、画像データを生成するデジタルカメラ、スキャナ等の画像処理装置に関する。
【背景技術】
【０００２】
従来より、デジタルカメラにおいては、撮像された画像データが読み込まれると、この画像データからサムネイル画像データが生成され、このサムネイル画像データと、デジタルカメラのメーカ名、予め設定されたカメラのユーザ名、撮像日時等の各種情報と、元の画像データと、を含むＥｘｉｆ形式の画像ファイルとしてフラッシュメモリ等に保存されるように構成されている。
【０００３】
また、手書きや印刷された原稿を画像データとして読み取るための装置としてスキャナが知られており、スキャナにおいても、画像データが読み込まれると、この画像データからサムネイル画像データを生成し、元の画像データとサムネイル画像データとからなるＥｘｉｆ形式の画像ファイルとしてパーソナルコンピュータ（以下、パソコンという）に入力したり、メモリカード、ＵＳＢメモリ等の外部記憶メディアに保存するように構成されたものが提案されている（例えば、特許文献１等参照）。
【特許文献１】特開２００５−１３０４７１号公報
【発明の開示】
【発明が解決しようとする課題】
【０００４】
しかしながら、上記提案のスキャナにより保存された画像ファイルには、例えば、読み込んだ日時の情報は含まれていても、画像データを検索したり、分類したりするために十分な情報は含まれておらず、例えば、複数のユーザが同じスキャナを使用し、同じパソコンの保存先に画像データが保存されるように構成している場合には、ユーザは、画像データを開くか、サムネイル画像の一覧にて自分の画像データを探し、ファイル名を変更したり、保存するフォルダを変更したりする必要があり、画像データの管理が面倒であった。
【０００５】
一方、デジタルカメラからパソコンに画像データを取り込み、特定の画像データの検索、分類をするような場合にも、例えば、ユーザ名等から自分の画像データを見つけることができても、画像の種類（例えば、人物の画像であるか、暗い所で撮像されたものであるか等）は分からないため、やはり画像データを開くか、サムネイル画像の一覧にて画像を確認し、分類等を行う必要があり、画像データの管理は面倒であった。また、スキャナにより保存された画像ファイルについても、画像の種類は分からなかった。
【０００６】
本発明は、こうした問題に鑑みなされたものであり、画像データを生成する画像処理装置において、記憶手段に記憶された画像データをユーザが容易に管理できるようにすることを目的とする。
【課題を解決するための手段】
【０００７】
かかる目的を達成するためになされた請求項１に記載の発明は、画像データを生成して記憶手段に登録する画像処理装置であって、撮像された画像に基づいて、画像データを生成する生成手段と、該生成手段により生成された画像データから画像を解析する解析手段と、該解析手段による解析結果に基づいて、画像の種類に関する種別情報を特定する特定手段と、該特定手段にて特定された画像の種類に関する種別情報を前記画像データに付加し、該画像データを前記記憶手段に登録する付加手段と、を備えたことを特徴とする。
【０００８】
本発明の画像処理装置においては、生成手段が撮像された画像データに基づいて、画像データを生成し、解析手段が生成手段により生成された画像データから画像を解析し、特定手段が解析手段による解析結果に基づいて、画像の種類に関する種別情報を特定し、付加手段が、特定手段にて特定された画像の種類に関する種別情報を画像データに付加し、この画像データを記憶手段に登録する。
【０００９】
従って、本発明の画像処理装置によれば、スキャナやデジタルカメラ等の画像処理装置において、画像の種類に関する種別情報（例えば、黒画素、白画素の比率等）が画像データに付加され、画像処理装置に内蔵されたメモリ、または、画像処理装置に接続されたパソコンのメモリ等の記憶手段に記憶されるので、ユーザは、付加された画像の種類に関する種別情報により、その画像がテキストであるのか、写真であるのか等の画像の種類を識別することができるので、画像データを容易に管理することが可能となる。
【００１０】
次に、請求項２に記載の発明は、請求項１の画像処理装置において、解析手段が画像の濃度分布を抽出し、特定手段が、解析手段によって抽出された画像の濃度分布に基づいて画像の種類を種別情報として特定することを特徴とする。
【００１１】
従って、請求項２に記載の画像処理装置によれば、画像から抽出された画素の濃度分布に基づいて特定された画像の種類（例えば、テキスト、図、写真等）が、種別情報として画像データに付加されるので、ユーザは、種別情報により、より容易に画像の種類を識別できる。
【００１２】
次に、請求項３に記載の発明は、請求項１または請求項２に記載の画像処理装置において、付加手段が、さらに、ユーザを識別可能なユーザ情報、画像データを登録する登録先を示すパス情報、及び、画質情報のうち、少なくとも何れか１つを画像データに付加することを特徴とする。
【００１３】
従って、請求項３に記載の画像処理装置によれば、名前、所属名、社員番号、メールアドレス等のユーザ情報、画像データの登録先を示すパス情報、あるいは、解像度、色調等の画質情報が画像データに付加されるので、より画像データの管理が容易となる。
【００１４】
つまり、ユーザ情報が付加された場合には、ユーザは容易に自分が取り扱った画像データを認識でき、また、パス情報が付加された場合には、画像データを他のユーザから受け取った場合や画像データが最初の登録先から移動された場合にも、ユーザは、その画像データが最初に登録された登録先を把握することができる。
【００１５】
一方、かかる目的を達成するためになされた請求項４に記載の発明は、画像データを生成して記憶手段に登録する画像処理装置であって、原稿に形成された画像データを取得する取得手段と、該取得手段により取得された画像データに、ユーザを識別可能なユーザ情報、画像データを登録する登録先を示すパス情報、及び、画質情報のうち、少なくとも何れか１つを付加し、該画像データを前記記憶手段に登録する付加手段と、を備えたことを特徴とする。
【００１６】
このように、請求項４に記載の画像処理装置においては、取得手段が、原稿に形成された画像データを取得し、付加手段が、この取得手段により取得された画像データに、ユーザを識別可能なユーザ情報、画像データを登録する登録先を示すパス情報、及び、画質情報のうち、少なくとも何れか１つを付加し、この画像データを記憶手段に登録する。
【００１７】
従って、請求項４に記載の画像処理装置によれば、例えば、画像の取扱者名、番号等のユーザ情報、画像データの登録先を示すパス情報、あるいは、解像度、色調等の画質情報が画像データに付加されるので、例えば、取得手段として、ＦＡＸ機能及びスキャナ機能を備えた画像処理装置において、ユーザは付加された情報により画像データを容易に管理することが可能となる。
【００１８】
次に、請求項５に記載の発明は、請求項３または請求項４に記載の画像処理装置において、ユーザ情報、パス情報、及び、画質情報のうち、少なくとも何れか１つを複数記憶可能な情報記憶手段を備え、設定手段が、この情報記憶手段に記憶された情報の中から、付加手段によって付加される情報を設定することを特徴とする。
【００１９】
従って、請求項５に記載の画像処理装置によれば、複数のユーザ情報が登録された電話帳、画像データの保存先フォルダの一覧等の情報記憶手段から、画像データに付加する情報を容易に設定することができる。
【００２０】
次に、請求項６に記載の発明は、請求項３〜請求項５の何れかに記載の画像処理装置において、指定手段が、複数の階層から構成されるパス情報のうち、付加手段によって付加される階層を指定することを特徴とする。
【００２１】
従って、請求項６に記載の画像処理装置によれば、指定された階層がパス情報の先頭である場合には、例えば、画像処理装置の装置名が画像データに付加され、また、パス情報の終端である場合には、例えば、その画像データの名称が画像データに付加される。このため、パス情報のうちの必要な部分だけが画像データに付加されるので、ユーザは、必要な情報を容易に読み取ることができる。
【００２２】
次に、請求項７に記載の発明は、請求項３〜請求項６の何れかに記載の画像処理装置において、付加手段が、複数のユーザ情報を付加することを特徴とする。
従って、請求項７に記載の画像処理装置によれば、画像データに複数のユーザ情報が付加されているので、例えば、複数のユーザが同じ画像データを使用するような場合でも、夫々のユーザが、ユーザ情報にて自分が使用する画像データを容易に識別することができる。
【００２３】
次に、請求項８に記載の発明は、請求項７に記載の画像処理装置において、付加手段が、画像データをユーザ情報と同じ数だけ複写すると共に、複写した複数の各画像データに複数のユーザ情報を付加することを特徴とする。
【００２４】
従って、請求項８に記載の画像処理装置によれば、複数のユーザ分、同じユーザ情報が付加された画像データが登録されるので、各ユーザは夫々画像データを自由に使用することができる。
【００２５】
次に、請求項９に記載の発明は、請求項７に記載の画像処理装置において、付加手段が、画像データをユーザ情報と同じ数だけ複写すると共に、複写した複数の各画像データに、異なるユーザ情報を１つずつ付加することを特徴とする。
【００２６】
従って、請求項９に記載の画像処理装置によれば、同じ画像データに夫々異なるユーザ情報が付加された複数の画像データが登録されるので、ユーザは付加されたユーザ情報により、自分が使用すべき画像データを容易に識別することができる。
【００２７】
次に、請求項１０に記載の発明は、請求項１〜請求項９の何れかに記載の画像処理装置において、付加手段が、画像データに付加された情報に基づいて、この画像データの取り扱いを制限するための制限情報を付加することを特徴とする。
【００２８】
従って、請求項１０に記載の画像処理装置によれば、付加された制限情報により画像データの取り扱いが制限されるので、画像データのセキュリティ性を高めることができる。例えば、ユーザ情報が設定されている場合に、パスワードによる利用制限を制限情報として付加するようにすれば、パスワードを知らないユーザにより、画像データの内容を見られることを防止できる。
【００２９】
次に、請求項１１に記載の発明は、請求項１０に記載の画像処理装置において、複数のユーザ情報が画像データに付加されている場合には、付加手段が、制限情報として画像データの切り取り操作を禁止するための情報を画像データに付加することを特徴とする。
【００３０】
従って、請求項１１に記載の画像処理装置によれば、複数のユーザ情報が付加された画像データ、つまり、複数のユーザによって使用される可能性のある画像データの切り取り操作が禁止されるため、１人のユーザにより画像データが移動されてしまうことを防止できる。
【００３１】
次に、請求項１２に記載の発明は、請求項１〜請求項１１の何れかに記載の画像処理装置において、画像データは、Ｅｘｉｆ形式の画像ファイルとして記憶手段に登録されることを特徴とする。
【００３２】
従って、請求項１２に記載の画像処理装置によれば、画像データを容易に取り扱うことができる。
【発明を実施するための最良の形態】
【００３３】
以下に本発明の実施形態を図面と共に説明する。
図１は、本実施形態の多機能装置１の概略構成を示すブロック図である。
本実施形態の多機能装置１は、原稿の画像を画像データとして読み取るスキャナ機能、画像データで示される画像を用紙に印刷するプリンタ機能、スキャナ機能とプリンタ機能を組み合わせたコピー機能、公衆電話網１００を介して画像データの送受信を行うと共に、受信した画像データを一旦メモリ（バッファ１２等）に格納した後に用紙に印刷するファクシミリ（以下、ＦＡＸともいう）機能を実現できるように構成された複合機であり、図１に示すように、プリンタ部２、スキャナ部４、操作パネル６、制御部１０、バッファ１２、データベース１４、パソコンインタフェース部（以下、ＰＣ・Ｉ／Ｆ部という）１６、回線制御部１８等を備え、上記各部はバスライン２２を介して互いに接続されている。
【００３４】
プリンタ部２は、制御部１０からの指令を受けて、記録媒体としての用紙を複数枚収容可能な給紙カセット（給紙トレイ）から１枚ずつ用紙を給紙し、レーザ転写方式、インクジェット方式等の周知の画像記録方式によって画像データに基づく画像を用紙に形成して、排紙トレイへ排紙する。
【００３５】
スキャナ部４は、制御部１０からの指令に基づき、所定の原稿読取位置にセットされた原稿の画像を、ＣＣＤ（Ｃｈａｒｇｅ  Ｃｏｕｐｌｅｄ  Ｄｅｖｉｃｅ）やＣＩＳ（Ｃｏｎｔａｃｔ  Ｉｍａｇｅ  Ｓｅｎｓｏｒ）等の周知のイメージセンサによって読み取り、この画像を表す画像データを生成する。
【００３６】
操作パネル６は、当該多機能装置１の動作状態等を表示するためのＬＣＤ表示部と、各種指令を入力するための複数の操作ボタンとを備えている。
バッファ１２には、ＰＣ・Ｉ／Ｆ部１６、回線制御部１８を介して受信した画像データ及びスキャナ部４によって読み取られた画像データが一時的に記憶される。
【００３７】
データベース１４は、書き換え可能な不揮発性のメモリ（例えば、ＥＥＰＲＯＭ等）からなり、制御部１０が各種処理を実行する際に必要な制御用のパラメータや、名前、会社名、電話番号、ＦＡＸ番号等からなる電話帳、後述する属性情報などのユーザにて登録される各種情報や、後述するデータ登録処理にて生成される画像ファイルなどが記憶される。
【００３８】
ＰＣ・Ｉ／Ｆ部１６は、当該多機能装置１を、通信ケーブル経由でパーソナルコンピュータ（以下、パソコンという）９０と接続するためのインタフェースである。
回線制御部１８は、操作ボタンからの指令に基づく発呼信号の送信や呼出信号の受信等の回線制御を行うと共に、ＦＡＸを送信する際には、スキャナ部４により読み取られた画像データを公衆回線網の周波数帯に整合した変調信号に変換して送信し、また、ＦＡＸを受信した際には、公衆回線網にて伝送されてきた変調信号を復調してデジタルの画像データに変換する。また、さらに、回線制御部１８には、図示しない復号化部及び符号化部が接続されており、ＦＡＸの送信時には、変調信号への変換前に画像データを符号化し、ＦＡＸの受信時には復調された画像データを複合化する。
【００３９】
外部メモリＩ／Ｆ部２０は、各種外部メモリ９２（例えば、メモリカード、ＵＳＢメモリ、デジタルカメラと接続されるケーブル等）を着脱可能であり、装着された外部メモリへのデータの記録または読み出しを行う。
【００４０】
制御部１０は、ＣＰＵ、ＲＯＭ、ＲＡＭ等を中心とする周知のマイクロコンピュータにて構成されており、操作パネル６の操作ボタンを介して入力されるユーザからの指令、外部のパソコン９０、または、公衆電話網１００を介してＦＡＸ装置等の外部装置から入力される指令に従い上記各部を制御することにより、本実施形態の多機能装置１を、プリンタ、スキャナ、コピー、ＦＡＸとして機能させる。
【００４１】
詳述すると、制御部１０は、パソコン９０からプリント要求があれば、その後パソコン９０から送信されてくる画像データを受信し、プリンタ部２を制御して用紙上に画像データに基づく画像を形成する。また、パソコン９０、または、操作パネル６を介してユーザから画像の読み取り要求が入力されると、スキャナ部４を制御することにより、原稿の画像を読み取り、予め設定された動作モードに基づいて、読み取った画像データを、データベース１４、外部メモリＩ／Ｆ部２０に装着された外部メモリ９２に保存したり、または、パソコン９０に送信してパソコン９０に内蔵されたメモリに保存する。このような手順で、当該多機能装置１はプリンタ或いはスキャナとして動作する。
【００４２】
また、制御部１０は、操作パネル６を介してユーザからコピー指令が入力されると、そのとき設定されているコピーに関する動作モードに従いスキャナ部４を制御することにより、ユーザにより載置された原稿の画像を読み取り、その読み取った画像データをバッファ１２に保存し、原稿の読み取りが完了すると、プリンタ部２を制御して、バッファ１２に記憶された画像データに基づく画像を用紙に形成（複写）させる。
【００４３】
さらに、制御部１０は、ＦＡＸ装置等の外部装置から回線制御部１８を介して、原稿の受信要求を受けると、プリンタ部２を制御して、その後ＦＡＸ装置から送信されてくる画像データに基づく画像を用紙上に形成させる。また、操作パネル６を介してユーザからＦＡＸ指令が入力されると、そのとき設定されているファクシミリに関する動作モードに従いスキャナ部４を制御することにより、ユーザにより載置された原稿の画像を読み取り、その読み取った画像データを、回線制御部１８を介して指令された送信先に送信する。
【００４４】
一方、制御部１０は、パソコン９０、または、操作パネル６を介してユーザから当該多機能装置１の各種動作モードの設定（コピー、ＦＡＸ、スキャナ、プリンタ機能に関する各種詳細設定）が入力されると、その指令に従いＬＣＤ表示部に動作モード設定のための画面を表示し、その画面に従ってユーザが入力してくる指令を読み込んで、読み込んだパラメータを、ＲＡＭ、または、データベース１４等の記憶領域に適宜保存し、当該多機能装置１の動作モードを設定する。例えば、ユーザにより、スキャナ部４にて画像を読み取る際の解像度、色調等の画質情報、また、読み取った画像データの保存先等が入力されると、入力されたパラメータを、データベース１４に保存する。
【００４５】
ところで、制御部１０は、上述したようにスキャナ部４を制御して原稿から画像を読み取り、画像データを各種メモリに保存する処理を実行するが、本実施形態の多機能装置１においては、特に、スキャナ部４にて画像データを読み取った際に、ユーザからの指令に応じて、読み取った画像データの詳細を表す各種情報（以下、属性情報ともいう）を画像データに付加し、Ｅｘｉｆ形式の画像ファイルとして、データベース１４、外部メモリ９２、パソコン９０等のメモリに保存するデータ登録処理を実行する。
【００４６】
以下、本実施形態の制御部１０にて実行されるデータ登録処理について図２及び図３（ａ）を用いて説明する。図２は、本実施形態のデータ登録処理を示すフローチャートであり、図３（ａ）は、画像データに付加可能な属性情報の項目例を示す説明図である。
【００４７】
本実施形態のデータ登録処理は、パソコン９０、または、操作パネル６を介してユーザから画像の読み取り要求が入力されると開始され、まず、Ｓ２１０にて、データベース１４に予め記憶された情報に基づいて、読み取った画像データに付加可能な属性情報の項目と、その項目を付加するか否かを示す設定状況（オン／オフ）との一覧からなる付加項目設定画面を、要求に応じてパソコン９０、または、操作パネル６のＬＣＤ表示部に表示する。ここで、属性情報は、図３（ａ）に示すように、装置名等の多機能装置１の固有情報、読込日時等の読み取り時の環境情報、ユーザ名、保存先パス、解像度等の画質情報、等の読み込み時または予め設定された設定情報、画像の黒画素の割合を表す黒画素比率、画像がテキスト、写真、図の何れであるかを表す画像種別等の読み込んだ画像に基づく種別情報、等であり、ユーザは、操作パネル６を介して各属性情報毎にオンまたはオフの選択が可能である。
【００４８】
なお、本処理においては、パソコン９０から要求が入力された際には、パソコン９０のディスプレイに設定画面等を表示すると共にパソコン９０からの入力を読み取り、一方、操作パネル６を介して要求が入力された際には、操作パネル６のＬＣＤ表示部に設定画面を表示すると共に操作パネル６からの入力を読み取る。しかし、この点以外は、何れの要求に対しても同様の処理を実行するので、以下の説明においては、操作パネル６を介して入力された指令に対する処理として説明する。
【００４９】
次に、Ｓ２２０では、操作パネル６を介して属性情報項目の設定完了指令が入力されたか否かを判断し、設定完了指令が入力されていない場合には（Ｓ２２０：ＮＯ）、完了指令が入力されるまで、Ｓ２２０の処理を繰り返す。一方、設定完了指令が入力されたと判断した場合には（Ｓ２２０：ＹＥＳ）、続くＳ２３０にて、付加項目設定画面にて設定された内容を読み込み、属性情報項目の設定状況を更新し、Ｓ２４０に移行する。そして、Ｓ２４０にて、スキャナ部４を制御して、ユーザにより載置された原稿の画像を読み取り、続くＳ２５０では、読み取った画像データを、バッファ１２に保存すると共に、多機能装置１に内蔵された時計から日時を読み取って読込日時としてデータベース１４に保存し、Ｓ２６０に移行する。
【００５０】
Ｓ２６０では、属性情報として画像種別または黒画素比率が設定されているか否かを判断し、何れかが設定されている場合には（Ｓ２６０：ＹＥＳ）、Ｓ２７０に移行して後述する画像解析処理を実行し、画像解析処理を実行した後にＳ２８０に移行する。一方、属性情報として何れも設定されていない場合には（Ｓ２６０：ＮＯ）、Ｓ２８０へ移行する。
【００５１】
次に、Ｓ２８０では、属性情報としてユーザ名が設定されているか否かを判断し、設定されている場合には（Ｓ２８０：ＹＥＳ）、Ｓ２９０に移行して後述するユーザ情報設定処理を実行し、ユーザ情報設定処理を実行した後にＳ３００に移行する。一方、属性情報としてユーザ名が設定されていない場合には（Ｓ２８０：ＮＯ）、Ｓ３００に移行する。
【００５２】
そして、Ｓ３００では、属性情報として保存先パスが設定されているか否かを判断し、設定されている場合には（Ｓ３００：ＹＥＳ）、Ｓ３１０に移行して後述する保存先設定処理を実行し、保存先設定処理を実行した後にＳ３２０に移行する。一方、属性情報として保存先パスが設定されていない場合には（Ｓ３００：ＮＯ）、Ｓ３２０に移行する。
【００５３】
また、Ｓ３２０では、バッファ１２に記憶された画像データに基づいてＪＰＥＧ画像データを生成し、続くＳ３３０では、バッファ１２に記憶された画像データに基づいてサムネイル画像データを生成し、Ｓ３４０に移行する。そして、Ｓ３４０では、後述する画像ファイル生成処理を実行し、画像ファイル生成処理が終了すると、Ｓ３５０にて、生成した画像ファイルをユーザにより予め設定された保存先（データベース１４、外部メモリ９２、パソコン９０等の指定フォルダ）に保存し、続くＳ３６０では、元の画像データをバッファ１２から削除して当該処理を終了する。
【００５４】
なお、ＪＰＥＧ画像データ及びサムネイル画像データの生成方法については、周知技術であるため、詳細については省略する。
次に、Ｓ２７０において実行される画像解析処理について、図４、図５を用いて説明する。図４は、画像解析処理を示すフローチャートであり、図５は、画像データを形成する画像の濃度分布を示すヒストグラムである。
【００５５】
画像解析処理は、処理が開始されると、まずＳ４１０にて、バッファ１２に記憶された画像データを読み込み、続くＳ４２０にて、画像データを形成する各画素の画素値に基づいて、図５に示すような、読み込んだ画像の濃度分布を表すヒストグラム（縦軸は画素数、横軸は画素値を示す）を生成し、Ｓ４３０に移行する。Ｓ４３０では、Ｓ４２０にて生成したヒストグラムから、黒画素比率を算出する。なお、本実施形態においては、画素値が所定のしきい値以上の値の画素を黒画素と識別し、黒画素と識別した画素の全画素に対する比率を、黒画素比率として算出する。そして、続くＳ４４０にて、算出した黒画素比率をデータベース１４に保存する。
【００５６】
次に、Ｓ４５０では、Ｓ４２０にて生成したヒストグラムに基づいて、画素濃度が、例えば、白領域（画素値０近傍）と他の領域とに二極化しているか否かを判断する。そして、例えば、図５（ａ）に示すように、ヒストグラムが白領域と他の領域（画素値２００近傍）とに二極化しているような場合には（Ｓ４５０：ＹＥＳ）、画像はテキストであると判断し、Ｓ４８０に移行して、画像種別として「ｔｅｘｔ」をデータベース１４に保存し、当該処理を終了する。
【００５７】
一方、ヒストグラムが二極化していない場合には（Ｓ４５０：ＮＯ）、Ｓ４６０に移行して、画素値が連続しているか否かを判定し、図５（ｂ）に示すように、画素値が連続している場合には（Ｓ４６０：ＹＥＳ）、画像は写真であると判断し、Ｓ４７０に移行して、画像種別として「ｐｈｏｔｏ」を保存する。また、画素値が連続していない場合には（Ｓ４６０：ＮＯ）、図５（ｃ）に示すように、画素値が分散していることから、画像は地図等の図であると判断し、Ｓ４９０に移行して、画像種別として「ｉｍａｇｅ」をデータベース１４に保存し、当該処理を終了する。
【００５８】
次に、Ｓ２９０において実行されるユーザ情報設定処理について、図６、図３（ｂ）を用いて説明する。図６は、ユーザ情報設定処理を示すフローチャートであり、図３（ｂ）は、属性情報としてユーザ名を設定した際の詳細設定項目を示す説明図である。
【００５９】
ユーザ情報設定処理は、処理が開始されると、まずＳ５００にて、データベース１４に予め記憶されたユーザ情報に基づいて、図３（ｂ）に示すような、ユーザ名、ファイルロック、ファイルコピー、ファイル名変更等のユーザ名設定時の詳細設定項目と、その項目の設定状況との一覧からなるユーザ情報設定画面を、操作パネル６のＬＣＤ表示部に表示する。ここで、ファイルロックは、例えば、生成する画像ファイルの切り取り不可、パスワード付加等の制限情報の設定内容、また、これらの制限情報を設定するか否かを表す項目である。一方、ファイルコピーは、複数のユーザ名が設定されている場合に、生成する画像ファイルをユーザ名の人数分コピーするか否かを表す項目であり、ファイル名変更は、ファイルコピーにて画像ファイルをユーザ名分コピーする（オン）と設定されている場合に、ファイル名をユーザ名毎に変更するか否かを表す項目である。なお、このとき表示される設定状況は、直前に本多機能装置１を使用したユーザにより設定された内容である。
【００６０】
そして、続くＳ５１０では、設定状況の変更指令が操作パネル６を介して入力されたか否かを判断し、変更指令が入力された場合には（Ｓ５１０：ＹＥＳ）、Ｓ５２０に移行して、指令に応じてデータベース１４に記憶された電話帳等を読み取ってユーザ名の一覧を、操作パネル６のＬＣＤ表示部に表示する。
【００６１】
次に、Ｓ５３０にて、ユーザにより操作パネル６を介してユーザ名が選択され、選択完了指令が入力されたか否かを判断し、選択完了指令が入力されない場合には（Ｓ５３０：ＮＯ）、Ｓ５３０の処理を繰り返し実行し、一方、選択完了指令が入力された場合には（Ｓ５３０：ＹＥＳ）、続くＳ５４０にて、選択されたユーザ名を読み込み、Ｓ５５０に移行する。
【００６２】
そして、Ｓ５５０では、読み込んだユーザ名が複数であるか否かを判断し、ユーザ名が複数である場合には（Ｓ５５０：ＹＥＳ）、Ｓ５６０に移行して、ファイルロック、ファイルコピー、ファイル名変更を設定するか否かを選択するための選択画面を表示し、Ｓ５８０に移行する。一方、Ｓ５５０にて、ユーザ名が１つであると判断した場合には（Ｓ５５０：ＮＯ）、Ｓ５７０に移行して、ファイルロックを設定するか否かを選択するための選択画面を表示し、Ｓ５８０に移行する。
【００６３】
そして、Ｓ５８０にて、選択完了指令が入力されたか否かを判断し、選択完了指令が入力されない場合には（Ｓ５８０：ＮＯ）、繰り返しＳ５８０の処理を実行し、一方、Ｓ５８０にて選択完了指令が入力された場合には（Ｓ５８０：ＹＥＳ）、Ｓ５９０にて選択された項目、また、入力されたパスワード等を読み込み、Ｓ５４０にて選択されたユーザ名とともに、新たなユーザ情報としてデータベース１４に保存して当該処理を終了する。
【００６４】
一方、Ｓ５１０にて、設定状況の変更指令が入力されないと判断した場合には（Ｓ５１０：ＮＯ）、Ｓ５９５に移行して、ユーザ情報設定画面を表示してから所定時間が経過したか否かを判断し、所定時間が経過していない場合には（Ｓ５９５：ＮＯ）、Ｓ５１０に移行し、一方、所定時間が経過した場合には（Ｓ５９５：ＹＥＳ）、ユーザ情報は、表示した内容から変更する必要はないと判断し、当該処理を終了する。
【００６５】
次に、Ｓ３１０において実行されるユーザ情報設定処理について、図７、図８を用いて説明する。図７は、保存先設定処理を示すフローチャートであり、図８は、保存先パス情報の詳細を示す説明図である。
【００６６】
保存先設定処理は、処理が開始されると、まずＳ６００にて、データベース１４に予め記憶された保存先パスに基づいて、図８（ａ）に示すように、保存先、階層等の保存先パス設定時の詳細設定項目と、その項目の設定状況との一覧からなる保存先パス情報設定画面を、操作パネル６のＬＣＤ表示部に表示する。ここで、保存先は、パソコン９０のフォルダ、データベース１４のフォルダ、外部メモリ９２のフォルダ、等の生成する画像ファイルの保存先を選択するための項目である。また、階層は、例えば、図８（ｂ）に示すような保存先及び生成した画像ファイル名が含まれる複数階層からなるフルパス情報のうち、どの階層を保存先パスとして画像ファイルに付加するかを選択するための項目である。
【００６７】
なお、このとき表示される保存先は、ユーザにより操作パネル６を介して予め設定された保存先である。ただし、ユーザが予め設定しなかった場合には、直前に多機能装置１を使用したユーザにより設定された内容である。一方、階層は、直前に多機能装置１を使用したユーザにより設定された内容が表示される。
【００６８】
そして、続くＳ６１０では、設定状況の変更指令が操作パネル６を介して入力されたか否かを判断し、変更指令が入力された場合には（Ｓ６１０：ＹＥＳ）、続くＳ６２０にて、指令に応じてデータベース１４に記憶された保存先の一覧を表示ＬＣＤ表示部に表示する。
【００６９】
次に、Ｓ６３０にて、ユーザにより操作パネル６を介して保存先が選択され、選択完了指令が入力されたか否かを判断し、選択完了指令が入力されない場合には（Ｓ６３０：ＮＯ）、Ｓ６３０の処理を繰り返し実行し、一方、選択完了指令が入力された場合には（Ｓ６３０：ＹＥＳ）、続くＳ６４０にて、選択された保存先を読み込み、Ｓ６５０に移行する。
【００７０】
そして、Ｓ６５０では、選択された保存先と、予め設定された規則に基づいて順次設定される画像ファイル名と、からなるフルパス情報を表示すると共に、このフルパス情報のうち画像ファイルに保存先パスとして付加する階層を選択するための設定画面を表示して、Ｓ６６０に移行する。そして、Ｓ６６０にて、選択完了指令が入力されたか否かを判断し、選択完了指令が入力されない場合には（Ｓ６６０：ＮＯ）、繰り返しＳ６６０の処理を実行し、一方、Ｓ６６０にて選択完了指令が入力された場合には（Ｓ６６０：ＹＥＳ）、Ｓ６７０に移行して、フルパス情報のうちの選択された階層部分を、新たな保存先パスとしてデータベース１４に保存して当該処理を終了する。ここで、データベース１４に保存される保存先パスの例としては、例えば、フルパス情報が、図８（ｂ）に示すように、サーバ名、フォルダ名及び画像ファイル名からなる￥￥ａｂｃｄ￥ｈｏｍｅ￥Ａ￥ＰＨＯＴＯ￥２００６＿０３＿２０￥ｉｍｇ￥ｉｍｇ０１．ｊｐｇであるような場合に、階層として先頭（サーバ名以下２階層）が選択されたときは、図８（ｃ）に示すように￥￥ａｂｃｄ￥ｈｏｍｅのみが保存先パスとして付加され、階層として例えば３から５階層が選択されたときは、￥Ａ￥ＰＨＯＴＯ￥２００６＿０３＿２０のみが保存先パスとして付加される。
【００７１】
一方、Ｓ６１０にて、設定状況の変更指令が入力されないと判断した場合には（Ｓ６１０：ＮＯ）、Ｓ６８０に移行して、保存先パス情報設定画面を表示してから所定時間が経過したか否かを判断し、所定時間が経過していない場合には（Ｓ６８０：ＮＯ）、Ｓ６１０に移行し、一方、所定時間が経過した場合には（Ｓ６８０：ＹＥＳ）、保存先パスは、表示した内容から変更する必要はないと判断し、当該処理を終了する。
【００７２】
なお、図８（ａ）は、保存先、階層等の保存先パス情報設定時の詳細設定項目を示す説明図であり、図８（ｂ）は、画像ファイルの保存先の一例を示す説明図であり、図８（ｃ）は、選択階層別の保存先パスの例を示す説明図である。
【００７３】
次に、Ｓ３４０において実行される画像ファイル生成処理について、図９を用いて説明する。図９は、画像ファイル生成処理を示すフローチャートである。
画像ファイル生成処理は、処理が開始されると、まずＳ７１０にて、データベース１４に記憶された固有情報、環境情報、画質情報等の設定情報、種別情報等の画像データに付加すべき各種属性情報を読み取り、続くＳ７２０にて、ユーザ情報としてファイルロックが設定されているか否かを判断し、ファイルロックが設定されていない場合には（Ｓ７２０：ＮＯ）、Ｓ７３０に移行して、ユーザ情報として複数のユーザ名が設定されているか否かを判断する。
【００７４】
そして、ユーザ名が複数設定されている場合には（Ｓ７３０：ＹＥＳ）、さらに、ユーザ情報としてファイルコピーが設定されているか否かを判断し、ファイルコピーが設定されている場合には（Ｓ７４０：ＹＥＳ）、Ｓ７４５に移行して、ユーザ情報としてファイル名変更が設定されているか否かを判断する。そして、ファイル名変更が設定されている場合には（Ｓ７４５：ＹＥＳ）、Ｓ７７０に移行して、Ｓ３２０、Ｓ３３０で生成したＪＰＥＧ画像データ、サムネイル画像データと、読み取った属性情報と、からＥｘｉｆ形式の画像ファイルをユーザ名分複数生成し、当該処理を終了する。なお、このとき、各画像ファイルは、設定された複数のユーザ名のうちの１つをユーザ名として夫々生成されており、各画像ファイルのファイル名には、ファイルに含まれたユーザ名と同じユーザ名が付加されている。
【００７５】
一方、Ｓ７４５にて、ファイル名変更が設定されていない場合には（Ｓ７４５：ＮＯ）、Ｓ７５０に移行して、Ｓ３２０、Ｓ３３０で生成したＪＰＥＧ画像データ、サムネイル画像データと、読み取った属性情報と、からＥｘｉｆ形式の画像ファイルを生成し、続くＳ７６０にて、生成した画像ファイルを設定されたユーザ名の数だけコピーし、当該処理を終了する。
【００７６】
一方、Ｓ７２０にて、ファイルロックが設定されていると判断した場合には（Ｓ７２０：ＹＥＳ）、Ｓ７８０に移行して、Ｓ７８０にて、Ｓ３２０、Ｓ３３０で生成したＪＰＥＧ画像データ、サムネイル画像データと、読み取った属性情報と、からＥｘｉｆ形式の画像ファイルを生成し、続くＳ７９０では、設定されたファイルロックに従い、例えば、生成した画像ファイルに、保存されたフォルダから切り取りできないようにする情報を付加したり、また、入力されたパスワードに従い、開封が制限されたパスワード付きの画像ファイルに変換して、当該処理を終了する。
【００７７】
また、Ｓ７３０にて、ユーザ名が複数設定されていないと判断した場合（Ｓ７３０：ＮＯ）、または、Ｓ７４０にて、ファイルコピー設定がされていないと判断した場合には（Ｓ７４０：ＮＯ）、Ｓ８００に移行して、Ｓ３２０、Ｓ３３０で生成したＪＰＥＧ画像データ、サムネイル画像データと、読み取った属性情報と、からＥｘｉｆ形式の画像ファイルを生成し、当該処理を終了する。なお、Ｅｘｉｆ形式の画像ファイルの生成方法は周知技術であるため、詳細については省略する。
【００７８】
以上、説明したように、本実施形態の多機能装置１においては、パソコン９０、または、操作パネル６を介してユーザから画像の読み取り要求が入力されると、スキャナ部４により画像を読み取って画像データを生成し、生成した画像データを形成する各画素の画素値に基づいて、読み取った画像の濃度分布を表すヒストグラムを生成する。そして、生成したヒストグラムに基づいて、画像データの黒画素比率や、画像の種類を示す画像種別等の種別情報を特定し、さらに、特定した種別情報を画像データに付加して所定の保存先に保存する。
【００７９】
従って、本実施形態の多機能装置１によれば、パソコン９０、データベース１４等の指定フォルダに登録された画像データに、読み込んだ画像の濃度分布に基づく黒画素比率や画像種別等の画像の種類に関する種別情報が付加されているので、ユーザは、この情報により画像の種類を容易に識別することができ、保存された画像データを容易に管理することが可能となる。つまり、画像種別から画像がテキスト、写真、図の何れであるかを容易に識別でき、また、黒画素比率から、画像の明度、つまり、読み込んだ画像が暗い画像か、明るい画像か等を識別することも可能である。
【００８０】
また、読み込んだ画像の種類に関する種別情報と共に、予め設定された装置名等の多機能装置１の固有情報、画像の読み取り日時等の読み取り時の環境情報、ユーザ名や保存先パス、または、解像度等の読み取り時、または予め設定された設定情報等を属性情報として付加可能に構成されているので、例えば、画像ファイルが保存されたフォルダを開いて詳細表示をさせた場合には、図１０に示すように、ファイル名に対応して属性情報が表示され、ユーザは、属性情報に基づいて、より容易に画像データの識別、分類を行うことができるようになる。
【００８１】
なお、図１０に示すファイル名がｉｍｇ０１．ｊｐｇの画像ファイルは、ファイルの生成時に保存先パスの階層として先頭が選択されたものである。また、ファイル名がｉｍｇ０２＿Ａ．ｊｐｇ，ｉｍｇ０２＿Ｃ．ｊｐｇ，ｉｍｇ０２＿Ｅ．ｊｐｇの３つの画像ファイルは、ファイルコピーがオン、ファイル名変更がオンと設定された場合に、同じ画像データに基づいて生成されたものである。そして、ユーザ名としては、ＡまたはＣまたはＥが１つずつ付加されていると共に、同じユーザ名がファイル名に付加されている。
【００８２】
一方、ファイル名ｉｍｇ０３．ｊｐｇ、ｉｍｇ０３（コピー）．ｊｐｇの２つの画像ファイルは、ファイルコピーがオン、ファイル名変更がオフと設定された場合に、同じ画像データに基づいて生成されたものである。そして、ユーザ名としては、Ａ及びＢが付加されている。なお、図１０は、生成された画像ファイルが保存されたフォルダの詳細表示を示す説明図である。
【００８３】
また、データベース１４には、電話帳や保存先の一覧等が記憶されており、操作パネル６からの指令に応じてユーザ名や保存先を抽出するように構成されているので、ユーザは、操作パネル６を操作することにより、ユーザは容易に画像データに付加するユーザ名や、保存先パス設定できる。
【００８４】
そして特に、属性情報の１つとして、ユーザを識別可能なユーザ名を画像データに付加できるように構成されているので、ユーザは、自分が取り扱った画像データを容易に識別することができる。
【００８５】
また、他の属性情報として、画像データの保存先を示す保存先パスを画像データに付加できるように構成されているので、例えば、画像データを他のユーザから受け取った場合や画像データが最初の登録先から移動された場合にも、ユーザは、その画像データが最初に登録された登録先を把握することができ、また、登録先から画像データが生成された装置を特定することが可能である。
【００８６】
そして、特に、複数の階層から構成されたパス情報のうち、ユーザにより設定された階層の情報を抽出し、抽出した情報を保存先パスとして画像データに付加するように構成されているので、ユーザは識別や分類に使用したい階層のみを設定することで、不必要な情報が画像データに付加されることを防止できる。また、パス情報が短くなるので、ユーザは必要な情報を容易に読み取ることができる。
【００８７】
また、属性情報として、複数のユーザ名を付加できるように構成されているので、複数のユーザが、ユーザ名にて自分が利用すべき画像データを容易に識別することができる。そして、属性情報として複数のユーザ名を設定する場合には、画像ファイルをユーザ名と同じ数だけ複写するか否かを設定できるので、ユーザは必要に応じて同じ画像ファイルをユーザ分保存先に保存させることができる。このため、各ユーザは画像データを夫々自由に使用することができる。さらに、同じ画像データからなる画像ファイルがユーザ名の数だけ複写された場合には、図１０のファイル名に示すように、各ファイル名に、ユーザ名が含まれるので、各ユーザはファイル名により、自分が使用すべき画像データを容易に認識することができる。
【００８８】
また、属性情報としてユーザ名を設定する場合には、生成する画像ファイルの保存先のフォルダからの切り取り不可設定、パスワードによる開封制限の設定をできるように構成されているので、保存先のフォルダにおける画像データの取り扱いが制限され、画像データのセキュリティ性を高めることができる。つまり、画像ファイルが他のフォルダに移動されることを防止したり、パスワードを知らないユーザにより、画像データの内容を見られることを防止することができる。
【００８９】
そして、画像データは、Ｅｘｉｆ形式の画像ファイルとして保存先のフォルダに保存されるので、画像データを容易に取り扱うことができ、また、デジタルカメラ用のメモリカードに保存することもできる。
【００９０】
なお、本実施形態においては、多機能装置１が本発明（請求項１）の画像処理装置に相当し、スキャナ部４及びＳ２４０の処理が生成手段に相当し、保存先パスが本発明のパス情報に相当し、データベース１４、外部メモリ９２、パソコン９０の指定フォルダが本発明の記憶手段に相当し、データベース１４が本発明の情報記憶手段に相当し、Ｓ４１０、Ｓ４２０の処理が本発明の解析手段に相当し、Ｓ４３０、Ｓ４５０〜Ｓ４９０の処理が本発明の特定手段に相当し、Ｓ７５０、Ｓ７７０、Ｓ７８０〜Ｓ８００の処理及び画像ファイル生成処理が本発明の付加手段に相当し、Ｓ２１０〜Ｓ２３０の処理、ユーザ情報設定処理及び保存先設定処理が、本発明の設定処理に相当し、Ｓ６５０、Ｓ６６０の処理が本発明の指定手段に相当する。
【００９１】
以上、本発明の一実施形態について説明したが、本発明は、種々の形態を採り得ることは言うまでもない。
例えば、本実施形態の多機能装置１の変形例として、スキャナ部４にて読み取った画像データから画像ファイルを生成するだけでなく、さらに、回線制御部１８を介して受信した画像データについても、スキャナ部４にて読み取った画像データと同様の処理を行い、Ｅｘｉｆ形式の画像ファイルを生成して、所定の保存先に保存するようにしてもよい。そして、このような場合には、画像データが、スキャナ部４により読み込まれた画像データであるか、または、回線制御部１８を介して受信した画像データであるかを表す識別情報を属性情報として設定できるようにするとよい。
【００９２】
以下、変形例のデータ登録処理について図１１を用いて説明する。図１１は、変形例のデータ登録処理を示すフローチャートである。
変形例のデータ登録処理は、パソコン９０、または、操作パネル６を介してユーザから画像の読み取り要求をうけるか、または、回線制御部１８を介して画像データの受信要求を受けると開始され、まず、Ｓ９００にて、入力された要求が、読み取り要求であるか否かを判断する。そして、読み取り要求である場合には（Ｓ９００：ＹＥＳ）、Ｓ９１０に移行する。ここで、Ｓ９１０からＳ９５０は、上記実施形態のＳ２１０からＳ２５０の処理と同様であるため、説明を省略する。そして、Ｓ９５０の処理が終了すると、続くＳ９６０にて、画像データが、スキャナ部４にて読み取った画像データであることを表す識別情報（例えば、「スキャナ」）を、属性情報としてデータベース１４に保存し、その後は、上記実施形態のＳ２６０からの処理を実行する。
【００９３】
一方、Ｓ９００にて、入力された要求が読み取り要求でないと判断した場合、つまり、要求が回線制御部１８を介して入力された画像データの受信要求である場合には（Ｓ９００：ＮＯ）、Ｓ９７０に移行して、画像データを受信し、続くＳ９８０にて、受信した画像データをバッファ１２に保存する。
【００９４】
次に、Ｓ９９０では、画像データが、回線制御部１８を介して入力された画像データであることを表す識別情報（例えば「ＦＡＸ」）を、属性情報としてデータベース１４に保存し、続くＳ１０００では、Ｓ９１０の処理と同様に、データベース１４に予め記憶された情報に基づいて、読み取った画像データに付加可能な属性情報の項目と、その項目を付加するか否かを示す設定状況（オン／オフ）との一覧からなる付加項目設定画面を、操作パネル６のＬＣＤ表示部に表示する。なお、本変形例においては、属性情報の項目として、上記実施形態で挙げた項目に加え、識別情報が追加されている。
【００９５】
次に、Ｓ１０１０では、操作パネル６を介して属性情報項目の設定完了指令が入力されたか否かを判断し、設定完了指令が入力されていない場合には（Ｓ１０１０：ＮＯ）、完了指令が入力されるまで、Ｓ１０１０の処理を繰り返す。一方、設定完了指令が入力されたと判断した場合には（Ｓ１０１０：ＹＥＳ）、続くＳ１０２０にて、付加項目設定画面にて設定された内容を読み込み、属性情報項目の設定状況を更新し、その後は、上記実施形態のＳ２６０からの処理を実行する。
【００９６】
以上、説明したように本変形例の多機能装置１においては、スキャナ部４にて読み取った画像データ、また、回線制御部１８を介して受信した画像データ等、種々の画像データを処理し、画像ファイルを生成するが、画像データに画像データの詳細を表す属性情報が付加されるので、例えば、１つのフォルダに多数の画像ファイルが記憶されていても、ユーザは、その画像ファイルが、スキャナ部４にて読み取った画像データであるのか、ＦＡＸにて受信した画像データであるのか等を容易に認識することができ、画像データを容易に管理することが可能となる。なお、変形例の多機能装置１は、本発明（請求項４）の画像処理装置に相当し、スキャナ部４、回線制御部１８、Ｓ９４０の処理は本発明の取得手段に相当する。
【００９７】
また、上記変形例の多機能装置１においては、回線制御部１８を介して画像データの受信要求をうけた場合には、属性情報として、例えば、相手先の電話番号や、相手先の名称等を設定できるようにしてもよい。つまり、制御部１０が、画像データの受信要求の受信時に、相手先の電話番号を取得し、これを属性情報としてデータベース１４に保存すると共に、例えば、データベース１４に記憶された電話帳から取得した電話番号に該当する会社、人名等を検索し、属性情報としてデータベース１４に保存するようにすればよい。このようにすれば、ユーザは、その画像データがＦＡＸにて受信したものであることに加え、誰からのＦＡＸであるかを容易に識別できる。
【００９８】
ところで、上記実施形態では、本発明の画像処理装置を、スキャナ機能を備えた多機能装置１にて構成したが、多機能装置１に限ることはない。例えば、請求項１に記載の画像処理装置としては、画像データを生成可能な装置であればよく、単にスキャナ機能のみを有するスキャナ装置や、ＦＡＸ装置、また、デジタルカメラによって構成することが可能である。また、請求項４に記載の画像処理装置としては、画像データを取得可能な装置であればよく、上記のようなＦＡＸ装置やカメラ付き携帯電話によって構成することが可能である。
【００９９】
一方、上記実施形態では、スキャナ部４にて読み込んだ画像を形成する各画素の画素値に基づいて画像の濃度分布を表すヒストグラムを生成し、濃度分布に基づいて黒画素比率や画像種別を特定し、本発明の種別情報として画像データに付加したが、種別情報としては種々の情報が考えられる。
【０１００】
例えば、特許第３５０４０５４等に示す周知の画像処理方法により、その画像がテキスト、写真、表、グラフ、図等であることを識別し、識別結果を種別情報として画像データに付加するようにしてもよい。また、さらに、周知の画像認識方法により画像データから人物を認識し、人物を含む画像であることを示す情報を付加してもよい。
【０１０１】
一方、スキャナ部４による画像の読み取り時に、テキスト、写真、表、グラフ、図等の画像の種類を選択するための選択画面をＬＣＤ表示部に表示し、ユーザに操作パネル６を介して画像の種類を選択させ、ユーザに選択された画像の種類を画像データに付加することも可能である。
【０１０２】
また、上記実施形態においては、属性情報の１つとして、ユーザ名を付加するようにしたが、例えば、ユーザを識別可能な社員番号を付加してもよく、ユーザのメールアドレス等の連絡先を付加してもよい。さらに、多機能装置１に記憶された電話帳の情報だけでなく、パソコン９０に記憶された情報からユーザ名、社員番号等のユーザに関する情報を設定できるようにしてもよい。
【図面の簡単な説明】
【０１０３】
【図１】本実施形態の多機能装置１の概略構成を示すブロック図である。
【図２】本実施形態のデータ登録処理を示すフローチャートである。
【図３】画像データに付加可能な属性情報の項目例を示す説明図である。
【図４】本実施形態の画像解析処理を示すフローチャートである。
【図５】画像の濃度分布を示すヒストグラムである。
【図６】本実施形態のユーザ情報設定処理を示すフローチャートである。
【図７】本実施形態の保存先設定処理を示すフローチャートである。
【図８】保存先パス情報の詳細を示す説明図である。
【図９】本実施形態の画像ファイル生成処理を示すフローチャートである。
【図１０】画像ファイルが保存されたフォルダの詳細表示を示す説明図である。
【図１１】変形例のデータ登録処理を示すフローチャートである。
【符号の説明】
【０１０４】
１…多機能装置、２…プリンタ部、４…スキャナ部、６…操作パネル、１０…制御部、１２…バッファ、１４…データベース、１６…ＰＣ・Ｉ／Ｆ部、１８…回線制御部、２０…外部メモリＩ／Ｆ部、２２…バスライン、９０…パソコン、９２…外部メモリ、１００…公衆電話網
【図１】
2007272622.tif 000003
【図２】
2007272622.tif 000004
【図３】
2007272622.tif 000005
【図４】
2007272622.tif 000006
【図６】
2007272622.tif 000007
【図７】
2007272622.tif 000008
【図８】
2007272622.tif 000009
【図９】
2007272622.tif 000010
【図１１】
2007272622.tif 000011
【図５】
2007272622.tif 000012
【図１０】
2007272622.tif 000013